(57)【要約】【課題】安定化された状態での作動開始と、正確な血糖測定が可能な連続血糖測定装置を提供する。【解決手段】本発明は、連続血糖測定装置に関するものであり、身体付着ユニットをアプリケーター内に組み立てされた状態で製作することで、身体付着ユニットを身体に付着するための使用者の付加作業を最小化して単純にアプリケーターを作動させることだけで身体付着ユニットを身体に付着させることができるし、特に、身体付着ユニットに無線通信チップを具備して外部端末機と通信可能にすることで、別途のトランスミッタを連結しなければならない付加作業なしも単純で便利に使用可能で維持管理もより容易に遂行することができるし、身体付着ユニットを身体に付着した以後使用者の操作によって作動開始されるようにすることで、作動開始時点を使用者の必要によって適切な時点で調節することができるし、安定化された状態で作動開始が可能でより正確な血糖測定が可能な連続血糖測定装置を提供する。【選択図】図１
2021531118.tif 000002
【特許請求の範囲】
【請求項１】
体液を抽出して周期的に血糖を測定するように身体に挿入付着可能に形成される身体付着ユニットと、及び前記身体付着ユニットが内部に結合固定されるように形成され、前記身体付着ユニットが身体に挿入付着するように使用者の操作によって前記身体付着ユニットを外部吐出するように作動するアプリケーターを含んで、前記アプリケーターは内部に収容空間が形成されて一面が開放されるように形成され、一側には使用者によって加圧操作されるように加圧ボタンが装着されるメインケースと、及び前記メインケースの内部第１位置に配置された状態で前記加圧ボタンの操作によって外部吐出方向である第２位置に直線移動するプランジャーボディーを含んで、前記身体付着ユニットが前記プランジャーボディーに結合されて前記プランジャーボディーと共に一体で第１位置から第２位置に移動し、前記加圧ボタンは加圧操作による加圧移動が遮られる安全モードと、加圧操作による加圧移動が可能な加圧待機モード状態でモード変換可能に装着されることを特徴とする連続血糖測定装置。
【請求項２】
前記メインケースには前記加圧ボタンが装着される部位に係止突起が形成され、前記加圧ボタンは前記安全モード状態で前記メインケースの外部表面に沿って一定区間スライド移動して前記加圧待機モード状態に変換され、前記安全モード状態で前記係止突起にかみ合われて加圧移動が遮られて、前記加圧待機モード状態に移動することによって前記係止突起からかみ合い解除されることを特徴とする請求項１に記載の連続血糖測定装置。
【請求項３】
前記加圧ボタンは前記安全モード状態で前記加圧待機モード状態にスライド移動した状態で位置固定されるように形成されることを特徴とする請求項２に記載の連続血糖測定装置。
【請求項４】
前記加圧ボタンの一側には固定突起が形成され、前記メインケースの前記加圧ボタン装着部位には一部区間が切開された形態で弾性変形可能な切開変形部が形成され、前記切開変形部は前記加圧ボタンが安全モードに位置した状態で一側に前記固定突起を挿入収容することができる収容溝が形成されて前記加圧ボタンが加圧待機モードに移動完了した状態で末端面が前記固定突起とかみ合われて前記加圧ボタンの移動を拘束するように形成されることを特徴とする請求項３に記載の連続血糖測定装置。
【請求項５】
前記メインケースは外部ケースと、前記外部ケースの内部に結合されて前記プランジャーボディーの直線移動経路をガイドするように形成されるインナーケースを含んで、前記加圧ボタンは前記外部ケースに装着されることを特徴とする請求項４に記載の連続血糖測定装置。
【請求項６】
前記外部ケースには前記加圧ボタンが加圧操作による加圧移動及びスライド移動可能に装着されるようにボタンガイド溝が形成され、前記切開変形部は前記ボタンガイド溝の底面に形成されることを特徴とする請求項５に記載の連続血糖測定装置。
【請求項７】
前記アプリケーターは前記プランジャーボディーが前記第１位置から前記第２位置に直線移動するように前記プランジャーボディーに弾性力を加えるプランジャー弾性スプリングと、及び前記加圧ボタンの加圧操作によって移動するように前記メインケース内部に移動可能に結合されるシューテングプレートをさらに含んで、前記プランジャーボディーは前記第１位置で前記シューテングプレートとかみ合われて結合固定されて前記シューテングプレートの移動によってかみ合い解除されて前記第２位置に直線移動することを特徴とする請求項１乃至請求項６のうちで何れか一つに記載の連続血糖測定装置。
【発明の詳細な説明】
【技術分野】
【０００１】
本発明は、連続血糖測定装置に関するものである。より詳細には、身体付着ユニットをアプリケーター内に組み立てされた状態で製作することで、身体付着ユニットを身体に付着するための使用者の付加作業を最小化して単純にアプリケーターを作動させることだけで身体付着ユニットを身体に付着させることができるし、特に、身体付着ユニットに無線通信チップを具備して外部端末機と通信可能にすることで、別途のトランスミッタを連結しなければならない付加作業なしも単純で便利に使用可能で維持管理もより容易に遂行することができるし、身体付着ユニットを身体に付着した以後使用者の操作によって作動開始されるようにすることで、作動開始時点を使用者の必要によって適切な時点で調節することができるし、安定化された状態で作動開始が可能でより正確な血糖測定が可能な連続血糖測定装置に関するものである。
【背景技術】
【０００２】
糖尿病は現代人にたくさん発生される慢性疾患で国内の場合全体人口の５％に該当する２００万人以上に至る。
【０００３】
糖尿病は肥満、ストレス、誤った食習慣、先天的遺伝など多様な原因によって膵臓で作られるインシュリンが絶対的に不足であるか、または相対的に不足で血液で糖に対する均衡をすぐ取ってくれることができないことで、血液内に糖成分が絶対的に多くなるようになって発病する。
【０００４】
血液内には普通一定濃度の葡萄糖が含有されているし、組織細胞はここでエネルギーを得ている。
【０００５】
しかし、葡萄糖が必要以上に増加するようになれば、肝臓や筋肉または脂肪細胞などに適切に貯蔵されることができずに血液内に蓄積され、これにより糖尿病患者は正常人よりずっと高い血糖が維持され、過多な血糖は組織をそのまま通過して小便で排出されることによって身体の各組織に絶対的に必要な糖分は不足になって身体各組織に異常をもたらすようになる。
【０００６】
糖尿病は初期にはほとんど自覚症状がないことが特徴であるが、病気が進行されれば糖尿病特有の多飲、多食、多尿、体重減少、全身倦怠、皮膚そうよう症、手と足の傷が治らないで長続きする場合などの特有の症状が現われて、病気がいっそうさらに進行されれば、視力障害、高血圧、腎臓病、中風、歯周疾患、筋肉痙攣及び神経痛、壊疽などで進展する合併症が現われる。
【０００７】
このような糖尿病を診断して合併症に進展されないように管理するためには体系的な血糖測定と治療が併行されなければならない。
【０００８】
糖尿病患者及び糖尿病に進展されなかったが、血液内に正常より多い糖が検出される人々のために多くの医療機器製造業社では家庭で血糖を測定できるように多様な種類の血糖測定器を提供している。
【０００９】
血糖測定器は使用者が指端から採血して血糖測定を１回単位で遂行する方式と、使用者のお腹と腕などに付着して血糖測定を連続的に遂行する方式がある。
【００１０】
糖尿病患者の場合、一般に高血糖と低血糖状態を行き交うようになるが、応急状況は低血糖状態でやって来て、意識を失うか、または糖分供給なしに低血糖状態が長い間持続すれば、命を失うこともある。よって、低血糖状態の即刻な発見は、糖尿病患者に非常に重要であるが間歇的に血糖を測定する採血式血糖測定器ではこれを正確に把握することに限界がある。
【００１１】
最近にはこのような限界を乗り越えるために人体内に挿入されて数分間隔で血糖値を測定する連続血糖測定装置(ＣＧＭＳ:Continuous Glucose Monitoring System)が開発されているし、これを通じて糖尿病患者の管理と応急状況に対する対処を容易に遂行することができる。
【００１２】
また、採血式血糖測定器は糖尿病患者が自分の血糖を検査するために針で痛症に敏感な手先を突いて血液を採取する方式で血糖測定がなされるので、採血過程で苦痛と拒否感を誘発するようになる。このような苦痛と拒否感を最小化するために痛症が相対的に減ったお腹と腕などの部位に針形態のセンサーを挿入した後連続的に血糖を測定する連続血糖測定システムに対する研究開発が遂行されているし、さらにひいては血液を採取しないで血糖を測定する非侵襲血糖測定システム(Non-Invasive Glucose Monitoring System)に対する研究開発も活発に進行されて来た。
【００１３】
非侵襲血糖測定システムは過ぎ去った過去４０余年間血液を採取しないで血糖を測定するために光学的な方法、電気的な方法、呼気で測定するなどの多様な方式に対する研究が進行されている。シグナス社(Cygnus、Redwoo City、Ca、USＡ)は逆イオン滲透療法を利用して腕時計形態のGlucowatch G２ Ｂiographerを開発して出市したが、肌刺激問題と検定に対する問題、発汗時機器が止まる問題、高血糖に比べて低血糖をよく認知することができない問題などによって２００７年販売が中断された。現在まで多くの無採血血糖測定技術が登場したと報告されているが、正確性が落ちて実用的に使用されることはできない。
【００１４】
連続血糖測定装置は身体の肌に付着されて体液を抽出して血糖を測定するセンサーモジュールと、センサーモジュールによって測定された血糖数値を端末機に送るトランスミッタと、伝送を受けた血糖数値を出力する端末機などを含んで構成される。センサーモジュールには皮下脂肪に挿入されて細胞間質液を抽出するように針模様で形成されたセンサープローブなどが具備され、センサーモジュールを身体に付着するために別途のアプリケーターが使用される。
【００１５】
このような連続血糖測定装置は製造社ごとに非常に多様な形態で製作されているし、その使用方式も多様になされる。しかし、大部分の連続血糖測定器らは、１回用センサーモジュールをアプリケーターを通じて身体に付着する方式で製作流通されているし、使用者は１回用センサーモジュールの身体付着のためのアプリケーターの作動のために多くの段階の作業を遂行しなければならないし、センサーモジュールを身体に付着した後、針を直接抜き出さなければならないなどさまざまの後続手続きらを遂行しなければならない。
【００１６】
例えば、１回用センサーモジュールの包装をむき出してアプリケーターに正確に挿入しなければならないし、センサーモジュールをアプリケーターに挿入した状態でアプリケーターを作動させてセンサーモジュールを肌に挿入させ、挿入以後には別途の器具を利用してセンサーモジュールの針を肌から直接抜き出すなどの作業らを遂行しなければならないし、血糖測定結果を使用者端末機に送るために別途のトランスミッタをセンサーモジュールに結合させるなどの作業を遂行しなければならない。
【００１７】
したがって、連続血糖測定器を利用して血糖を測定するための作業が非常に煩わしくて不便であるという問題がある。また、センサーモジュール及びトランスミッタの作動開始動作が使用者によってなされなくて血糖測定結果の正確度低下及び装置寿命低下などの原因になる問題がある。
【発明の概要】
【発明が解決しようとする課題】
【００１８】
本発明は、従来技術の問題点を解決するために発明したものであり、本発明の目的は身体付着ユニットをアプリケーター内に組み立てされた状態で製作することで、身体付着ユニットを身体に付着するための使用者の付加作業を最小化して単純にアプリケーターを作動させることだけで身体付着ユニットを身体に付着させることができるし、特に、身体付着ユニットに無線通信チップを具備して外部端末機と通信可能にすることで、別途のトランスミッタを連結しなければならない付加作業なしも単純で便利に使用可能で維持管理もより容易に遂行することができる連続血糖測定装置を提供することである。
【００１９】
本発明の他の目的は、身体付着ユニットを身体に付着した以後使用者の操作によって作動開始されるようにすることで、作動開始時点を使用者の必要によって適切な時点で調節することができるし、安定化された状態で作動開始が可能でより正確な血糖測定が可能な連続血糖測定装置を提供することである。
【課題を解決するための手段】
【００２０】
本発明は、体液を抽出して周期的に血糖を測定するように身体に挿入付着可能に形成される身体付着ユニットと、及び前記身体付着ユニットが内部に結合固定されるように形成され、前記身体付着ユニットが身体に挿入付着するように使用者の操作によって前記身体付着ユニットを外部吐出するように作動するアプリケーターを含んで、前記アプリケーターは、内部に収容空間が形成されて一面が開放されるように形成され、一側には使用者によって加圧操作されるように加圧ボタンが装着されるメインケースと、及び前記メインケースの内部第１位置に配置された状態で前記加圧ボタンの操作によって外部吐出方向である第２位置に直線移動するプランジャーボディーを含んで、前記身体付着ユニットが前記プランジャーボディーに結合されて前記プランジャーボディーと共に一体で第１位置から第２位置に移動し、前記加圧ボタンは加圧操作による加圧移動が遮られる安全モードと、加圧操作による加圧移動が可能な加圧待機モード状態でモード変換可能に装着されることができる。
【００２１】
また、前記メインケースには前記加圧ボタンが装着される部位に係止突起が形成され、前記加圧ボタンは前記安全モード状態で前記メインケースの外部表面に沿って一定区間スライド移動して前記加圧待機モード状態に変換され、前記安全モード状態で前記係止突起にかみ合われて加圧移動が遮られて、前記加圧待機モード状態に移動することによって前記係止突起からかみ合い解除されることができる。
【００２２】
また、前記加圧ボタンは前記安全モード状態で前記加圧待機モード状態にスライド移動した状態で位置固定されるように形成されることができる。
【００２３】
また、前記加圧ボタンの一側には固定突起が形成され、前記メインケースの前記加圧ボタン装着部位には一部区間が切開された形態で弾性変形可能な切開変形部が形成され、前記切開変形部は前記加圧ボタンが安全モードに位置した状態で一側に前記固定突起を挿入収容することができる収容溝が形成されて前記加圧ボタンが加圧待機モードに移動完了した状態で末端面が前記固定突起とかみ合われて前記加圧ボタンの移動を拘束するように形成されることができる。
【００２４】
また、前記メインケースは外部ケースと、前記外部ケースの内部に結合されて前記プランジャーボディーの直線移動経路をガイドするように形成されるインナーケースを含んで、前記加圧ボタンは前記外部ケースに装着されることができる。
【００２５】
また、前記外部ケースには前記加圧ボタンが加圧操作による加圧移動及びスライド移動可能に装着されるようにボタンガイド溝が形成され、前記切開変形部は前記ボタンガイド溝の底面に形成されることができる。
【００２６】
また、前記アプリケーターは前記プランジャーボディーが前記第１位置から前記第２位置に直線移動するように前記プランジャーボディーに弾性力を加えるプランジャー弾性スプリングと、及び前記加圧ボタンの加圧操作によって移動するように前記メインケース内部に移動可能に結合されるシューテングプレートをさらに含んで、前記プランジャーボディーは前記第１位置で前記シューテングプレートとかみ合われて結合固定されて前記シューテングプレートの移動によってかみ合い解除されて前記第２位置に直線移動するように構成されることができる。
【発明の効果】
【００２７】
本発明によれば、身体付着ユニットをアプリケーター内に組み立てされた状態で製作することで、身体付着ユニットを身体に付着するための使用者の付加作業を最小化して単純にアプリケーターを作動させることだけで身体付着ユニットを身体に付着させることができるし、特に、身体付着ユニットに無線通信チップを具備して外部端末機と通信可能にすることで、別途のトランスミッタを連結しなければならない付加作業なしも単純で便利に使用可能で維持管理もより容易に遂行することができる効果がある。
【００２８】
また、身体付着ユニットを身体に付着した以後使用者の操作によって作動開始されるようにすることで、作動開始時点を使用者の必要によって適切な時点で調節することができるし、安定化された状態で作動開始が可能でより正確な血糖測定が可能な効果がある。
【図面の簡単な説明】
【００２９】
【図１】図１は本発明の一実施例による連続血糖測定装置の外形を概略的に示した斜視図である。
【図２】図２は本発明の一実施例による身体付着ユニットの外形を概略的に示した斜視図である。
【図３】図３は本発明の一実施例による連続血糖測定装置の構成を概略的に示した分解斜視図である。
【図４】図４は図１の"Ｂ−Ｂ"線に沿って取った断面図である。
【図５】図５は図１の"Ａ-Ａ"線に沿って取った断面図である。
【図６】図６は本発明の一実施例による保護キャップの構成を概略的に示した斜視図である。
【図７】図７及び図８は本発明の一実施例による保護キャップと共に異形紙分離除去過程を説明するための図面である。
【図８】図７及び図８は本発明の一実施例による保護キャップと共に異形紙分離除去過程を説明するための図面である。
【図９】図９は本発明の一実施例による加圧ボタンの結合構造を概略的に示した斜視図である。
【図１０】図１０及び図１１は本発明の一実施例による加圧ボタンのモード変換構造を概略的に示した図面である。
【図１１】図１０及び図１１は本発明の一実施例による加圧ボタンのモード変換構造を概略的に示した図面である。
【図１２】図１２は本発明の一実施例による加圧ボタンの加圧作動状態を概略的に示した図面である。
【図１３】図１３及び図１４は本発明の一実施例による加圧ボタンの作動によるシューテングプレートの移動状態を概略的に示した斜視図である。
【図１４】図１３及び図１４は本発明の一実施例による加圧ボタンの作動によるシューテングプレートの移動状態を概略的に示した斜視図である。
【図１５】図１５及び図１６は本発明の一実施例によるアプリケーターと身体付着ユニットの分離構造を説明するための図面である。
【図１６】図１５及び図１６は本発明の一実施例によるアプリケーターと身体付着ユニットの分離構造を説明するための図面である。
【図１７】図１７乃至図１９は本発明の一実施例によるアプリケーターの再使用防止構造を説明するための図面である。
【図１８】図１７乃至図１９は本発明の一実施例によるアプリケーターの再使用防止構造を説明するための図面である。
【図１９】図１７乃至図１９は本発明の一実施例によるアプリケーターの再使用防止構造を説明するための図面である。
【図２０】図２０は本発明の一実施例による針引き出し手段の作動構造を説明するための図面である。
【図２１】図２１乃至図２５は本発明の一実施例による連続血糖測定装置の使用状態を動作手順によって段階的に示した図面である。
【図２２】図２１乃至図２５は本発明の一実施例による連続血糖測定装置の使用状態を動作手順によって段階的に示した図面である。
【図２３】図２１乃至図２５は本発明の一実施例による連続血糖測定装置の使用状態を動作手順によって段階的に示した図面である。
【図２４】図２１乃至図２５は本発明の一実施例による連続血糖測定装置の使用状態を動作手順によって段階的に示した図面である。
【図２５】図２１乃至図２５は本発明の一実施例による連続血糖測定装置の使用状態を動作手順によって段階的に示した図面である。
【図２６】図２６は本発明の一実施例によって身体に付着した身体付着ユニットの外形を概略的に示した斜視図である。
【図２７】図２７は本発明の一実施例による身体付着ユニットの構成を概略的に示した分解斜視図である。
【図２８】図２８は図２６の"Ｃ-Ｃ"線に沿って取った断面図である。
【図２９】図２９は図２６の"Ｄ-Ｄ"線に沿って取った断面図である。
【図３０】図３０は本発明の一実施例による加圧作動モジュールの作動状態を概略的に示した図面である。
【図３１】図３１は本発明の一実施例による加圧作動モジュールの詳細構成を概略的に示した斜視図である。
【図３２】図３２は本発明の一実施例によるセンサー部材の詳細構成を概略的に示した斜視図である。
【図３３】図３３は本発明の一実施例によるセンサー部材の加圧作動状態を概念的に示した図面である。
【図３４】図３４は本発明の一実施例によるセンサー部材と電気接点との配置関係を概念的に示した図面である。
【図３５】図３５乃至図３７は本発明の一実施例による接点連結モジュールの多様な構成を概念的に示した図面である。
【図３６】図３５乃至図３７は本発明の一実施例による接点連結モジュールの多様な構成を概念的に示した図面である。
【図３７】図３５乃至図３７は本発明の一実施例による接点連結モジュールの多様な構成を概念的に示した図面である。
【発明を実施するための形態】
【００３０】
以下、本発明の望ましい実施例を添付された図面らを参照して詳しく説明する。先ず、各図面の構成要素らに参照符号を付け加えるにおいて、同一な構成要素らに対してはたとえ他の図面上に表示されてもできるだけ同一な符号を有するようにしていることに留意しなければならない。また、本発明を説明するにおいて、関連される公知構成または機能に対する具体的な説明が本発明の要旨を濁ごすことがあると判断される場合には、その詳細な説明は略する。
【００３１】
図１は、本発明の一実施例による連続血糖測定装置の外形を概略的に示した斜視図であり、図２は本発明の一実施例による身体付着ユニットの外形を概略的に示した斜視図であり、図３は本発明の一実施例による連続血糖測定装置の構成を概略的に示した分解斜視図であり、図４は図１の"Ｂ-Ｂ"線に沿って取った断面図であり、図５は図１の"Ａ-Ａ"線に沿って取った断面図である。
【００３２】
本発明の一実施例による連続血糖測定装置は身体付着ユニット２０がアプリケーター１０内部に組み立てされて一つの単位製品に製作され、連続血糖測定装置の使用時使用者の付加作業が最小化される形態で使用方式が非常に単純な構造である。
【００３３】
身体付着ユニット２０は、体液を抽出して周期的に血糖を測定できるように身体に付着可能に形成されるが、血糖測定結果を外部端末機(図示せず)などの外部機器に送るように形成される。このような身体付着ユニット２０には、一端部が身体に挿入されるセンサー部材５２０と、外部端末機と無線通信することができるように無線通信チップ(図２７参照)５４０が内部に配置されていて別途のトランスミッタを追加結合する必要もなしに使用可能である。
【００３４】
アプリケーター１０は身体付着ユニット２０が内部に結合固定されるように形成され、使用者の操作によって身体付着ユニット２０を外部吐出するように作動する。
【００３５】
この時、身体付着ユニット２０はアプリケーター１０内部に挿入された状態で組み立て製作され、使用者の操作によるアプリケーター１０の作動によって外部吐出方向に移動して身体に付着するように構成される。
【００３６】
すなわち、本発明の一実施例によるセンサーアプリケーター組立体１は製作段階で、身体付着ユニット２０がアプリケーター１０内部に挿入された状態でアプリケーター１０の作動だけで身体付着ユニット２０が肌に付着するように組み立て製作され、この状態で使用者に供給されるので、使用者は身体付着ユニット２０を肌に付着するための別途の付加作業なしに単純にアプリケーター１０を作動させる作業だけで身体付着ユニット２０を肌に付着させることができる。特に、身体付着ユニット２０に別途の無線通信チップ５４０が具備されていて別途のトランスミッタを結合する必要もなくて、より便利に使用することができる。
【００３７】
従来の一般的な連続血糖測定装置は、別に包装された身体付着ユニットの包装をむき出した後アプリケーターに正確に挿入し、挿入した以後アプリケーターを作動させて身体付着ユニットを肌に付着させるようになるが、身体付着ユニットをアプリケーターに正確に挿入させる作業が煩わしくて難しいだけでなく、子供や老弱者方々の場合このような作業時身体付着ユニットを汚染させるなどの理由で血糖測定正確度を低下させるなどの問題があった。
【００３８】
本発明の一実施例では製作段階で身体付着ユニット２０をアプリケーター１０に挿入した状態で製作流通することで、使用者が身体付着ユニット２０をむき出してアプリケーター１０に挿入する過程などが省略され、単純にアプリケーター１０を操作することだけで身体付着ユニット２０を肌に付着させることができるので、使用性が画期的に向上し、特に、身体付着ユニット２０の汚染などを防止することができて血糖測定正確度を向上させることができる。
【００３９】
このように身体付着ユニット２０をアプリケーター１０に挿入した状態で製作されるので、身体付着ユニット２０及びアプリケーター１０は再使用が不可能な１回用で使用されることが望ましい。このような再使用不可構造のために本発明の一実施例によるアプリケーター１０は内部に挿入された身体付着ユニット２０が外部吐出されるように１回作動した以後には身体付着ユニット２０の再挿入が不可能になるように形成される。
【００４０】
すなわち、アプリケーター１０は一面が開放された形態で形成されて身体付着ユニット２０はアプリケーター１０の開放された一面を通じて外部吐出されるように構成されるが、アプリケーター１０の最初１回作動を通じて内部の身体付着ユニット２０を外部吐出させるようになれば、以後には他の身体付着ユニット２０をアプリケーター１０に挿入して使用することができないように使用者による身体付着ユニット２０の挿入が不可能に構成されることができる。
【００４１】
一方、アプリケーター１０には身体付着ユニット２０がアプリケーター１０内部に挿入された状態で外部露出が遮られるように別途の保護キャップ２００が分離可能に結合されることができるし、使用者は保護キャップ２００を分離した以後のみにアプリケーター１０を作動させて身体付着ユニット２０を身体に付着させるように構成されることができる。
【００４２】
この時、身体付着ユニット２０の身体接触面には身体付着ユニット２０が身体に付着できるように接着テープ５６０を付着し、接着テープ５６０の身体接触面には接着テープ５６０保護のために異形紙５６１を付着するが、接着テープ５６０の異形紙５６１は保護キャップ２００をアプリケーター１０から分離する過程で接着テープ５６０から分離除去されるように形成されることができる。
【００４３】
例えば、異形紙５６１は一側が保護キャップ２００に接着されているように構成されることができるし、よって、使用者がアプリケーター１０から保護キャップ２００を分離すれば、保護キャップ２００と共に接着テープ５６０から分離除去されるようにできる。これによって使用者が保護キャップ２００を分離するようになれば、接着テープ５６０の異形紙５６１が分離除去されるので、この状態でアプリケーター１０を作動させて身体付着ユニット２０を身体に付着させることができる。
【００４４】
また、アプリケーター１０は身体付着ユニット２０が内部に挿入された状態では身体付着ユニット２０を結合固定して身体付着ユニット２０が外部吐出移動した状態では身体付着ユニット２０に対する結合固定状態を解除するように形成されることができる。よって、身体付着ユニット２０がアプリケーター１０の内部に挿入組み立てされた状態では身体付着ユニット２０は固定された状態で維持され、アプリケーター１０を作動させて身体付着ユニット２０を外部吐出して肌に付着するようにした場合にはアプリケーター１０と身体付着ユニット２０の結合固定状態が解除されるので、この状態でアプリケーター１０を分離すれば、身体付着ユニット２０と分離して、肌には身体付着ユニット２０だけ付着した状態で残っているようになる。
【００４５】
一方、本発明の一実施例による身体付着ユニット２０は、使用者によって操作される別途のスイッチ手段を通じてセンサー部材５２０と無線通信チップ５４０が作動開始されるように形成されることができる。すなわち、アプリケーター１０を通じて身体付着ユニット２０を身体に挿入付着した以後、使用者は身体付着ユニット２０に具備されたスイッチ手段などを通じて身体付着ユニット２０が作動開始されるようにできて、このような作動開始時点からセンサー部材５２０及び無線通信チップ５４０が作動して身体の血糖を測定して測定結果を外部端末機に送ることができる。この時、使用者によって操作されるスイッチ手段は多様な方式で構成されることができるし、このようなスイッチ手段及び身体付着ユニット２０に対する詳細な説明は、図２６乃至図３７を中心に後述する。
【００４６】
また、身体付着ユニット２０は、上部ハウジング５１２と下部ハウジング５１１で分離形成されるハウジング５１０内部にセンサー部材５２０が配置され、センサー部材５２０の一端部がハウジング５１０から外部突き出されて身体に挿入付着するように形成される。センサー部材５２０は身体に挿入されるセンサープローブ部５２１と、ハウジング５１０内部に配置されるセンサーボディー部５２２で構成されるが、センサープローブ部５２１とセンサーボディー部５２２は折曲された形態でそれぞれセンサー部材５２０の一端部と他端部をなす。
【００４７】
この時、センサー部材５２０の身体挿入過程が円滑になされるように別途の針部５５０がハウジング５１０に分離可能に結合されることができる。針部５５０はセンサー部材５２０の一端部が身体に安定的に挿入されるようにセンサー部材５２０の一端部を囲んでセンサー部材５２０と共に身体に挿入されるように構成される。
【００４８】
このような針部５５０は、図２に示されたように身体付着ユニット２０のハウジング５１０を上下貫通する方向に分離可能に装着され、センサー部材５２０の外部を囲む形態で形成されて上端部には針ヘッド５５１が形成される。このような針部５５０は身体付着ユニット２０がアプリケーター１０によって外部吐出方向に移動すれば、センサー部材５２０より先に身体に挿入されてセンサー部材５２０が安定的に肌に挿入されるように補助する。針部５５０は針ヘッド５５１を通じてアプリケーター１０の針引き出しボディー４００と結合され、身体付着ユニット２０がアプリケーター１０の作動によって身体に挿入付着した以後にはアプリケーター１０の針引き出しボディー４００によって身体から引き出し除去されるように形成される。
【００４９】
次に、本発明の一実施例によるアプリケーター１０の詳細構成に対してもう少し詳しく見る。
【００５０】
本発明の一実施例によるアプリケーター１０は、一側に使用者によって加圧操作されるように加圧ボタン１１０が装着されるメインケース１００と、メインケース１００の内部第１位置に結合固定されて加圧ボタン１１０の操作によって第１位置で結合固定解除されて外部吐出方向である第２位置に直線移動するプランジャーボディー３００と、プランジャーボディー３００が第１位置から第２位置に直線移動するようにプランジャーボディー３００に弾性力を加えるプランジャー弾性スプリング(Ｓ１)を含んで構成され、身体付着ユニット２０はプランジャーボディー３００の一端に結合されてプランジャーボディー３００と共に一体で第１位置から第２位置に移動する。
【００５１】
メインケース１００の下端部には前述したように内部の身体付着ユニット２０を保護するために別途の保護キャップ２００が分離可能に結合される。
【００５２】
保護キャップ２００は、図６乃至図８に示されたようにアプリケーター１０の外周面を接触する形態で囲んでアプリケーター１０の一端部に結合されるように形成される外側カバー部２０１と、外側カバー部２０１の一端からアプリケーター１０の内側中心方向に延長される延長部２０２と、延長部２０２から上向き延長されてアプリケーター１０の内部に挿入された身体付着ユニット２０の身体接触面を支持する内側支持部２０３を含んで構成されることができる。この時、内側支持部２０３の中心部には身体付着ユニット２０の身体接触面から下向き突き出されるセンサープローブ５２１及び針部５５０を囲むようにセンサー保護部２０４が局所的に下向き突き出されるように形成されることができる。
【００５３】
したがって、保護キャップ２００はアプリケーター１０の内部に挿入された身体付着ユニット２０の外部露出遮断だけでなく身体付着ユニット２０に対する支持機能も遂行し、全体的にアプリケーターの構造的な安全性を向上させる。
【００５４】
一方、身体付着ユニット２０には、図７及び図８に示されたように身体接触面に接着テープ５６０及び異形紙５６１を付着し、接着テープ５６０の異形紙５６１は保護キャップ２００をアプリケーター１０から分離する過程で保護キャップ２００と共に接着テープ５６０から分離除去されるように形成される。
【００５５】
この時、異形紙５６１は保護キャップ２００の内側支持部２０３上面に付着することができて、別途の接着部材５６２を通じて保護キャップ２００の内側支持部２０３に付着することができる。すなわち、図７に示されたように異形紙５６１によれば、一側には別途の接着部材５６２が接着され、このような接着部材５６２は保護キャップ２００の内側支持部２０３上面と異形紙５６１との間に位置して下面が内側支持部２０３の上面に接着される。接着部材５６２の接着力は異形紙５６１と接着テープ５６０との間の接着力よりさらに大きく形成される。よって、保護キャップ２００をアプリケーター１０から分離すれば、接着部材５６２を通じて保護キャップ２００の内側支持部２０３に接着された異形紙５６１が共に分離して接着テープ５６０から分離除去される。
【００５６】
この時、異形紙５６１には接着部材５６２の幅と同一な大きさの離隔距離を有する２個の切開線(図示せず)が相互平行に一部区間に形成されることができるし、これによって図８に示されたように保護キャップ２００を分離する過程で接着部材５６２と共に異形紙５６１が切開線に沿って接着テープ５６０から先に分離離脱され、以後、保護キャップ２００の分離過程がずっと進行されることによって、すなわち、保護キャップ２００が図８に示された方向を基準にずっと下向き移動することによって切開線以外部分の異形紙５６１が牽引されて接着テープ５６０から分離除去される。このような異形紙分離除去過程を通じて異形紙５６１の分離除去作業をより円滑で安定的に遂行することができる。
【００５７】
メインケース１００には使用者によって加圧操作されるように加圧ボタン１１０が装着され、メインケース１００内部には加圧ボタン１１０の加圧操作によって移動するシューテングプレート１５０が移動可能に結合される。
【００５８】
プランジャーボディー３００は第１位置でシューテングプレート１５０とかみ合われて結合固定されてシューテングプレート１５０の移動によってかみ合い解除されてプランジャー弾性スプリング(Ｓ１)の弾性力によって第２位置に移動する。
【００５９】
メインケース１００は一側に加圧ボタン１１０が装着される外部ケース１０１と、外部ケース１０１の内部に結合されてプランジャーボディー３００の直線移動経路をガイドするように形成されるインナーケース１０２で分離形成されることができるし、シューテングプレート１５０はインナーケース１０２に安着支持されて移動することができる。
【００６０】
加圧ボタン１１０は外部ケース１０１に加圧操作可能に結合されるが、図９に示されたように外部ケース１０１には加圧ボタン１１０が加圧操作可能に結合されるようにボタンガイド溝１０１１が形成される。加圧ボタン１１０は上端部側に形成されたヒンジ軸１１２を中心に回動する形態で加圧操作可能に構成され、下端部側にはシューテングプレート１５０を加圧することができるように加圧ロード１１１が形成され、一側に加圧ボタン１１０の分離離脱を防止するために別途の固定ホック１１３が形成される。
【００６１】
このような加圧ボタン１１０は加圧操作による加圧移動が遮られる安全モードと、加圧操作による加圧移動が可能な加圧待機モード状態でモード変換可能に装着される。
【００６２】
加圧ボタン１１０は安全モード状態でメインケース１００の外部表面に沿って一定区間スライド移動して加圧待機モード状態に変換されるように構成されることができる。メインケース１００には加圧ボタン１１０が装着される部位に係止突起１０１２が形成されることができるし、安全モード状態では加圧ボタン１１０が係止突起１０１２にかみ合われて加圧移動が遮られて、安全モード状態で加圧待機モード状態にスライド移動することによって係止突起１０１２からかみ合い解除されるようにして加圧移動が可能になるようにできる。
【００６３】
すなわち、図１０に示されたように加圧ボタン１１０が安全モード状態では外部ケース１０１の係止突起１０１２にかみ合われて加圧操作が不可能であり、図１１に示されたように加圧ボタン１１０が加圧待機モード状態で上向き移動すれば、外部ケース１０１の係止突起１０１２からかみ合い解除されて加圧操作が可能である。
【００６４】
このような加圧ボタン１１０は安全モード状態で加圧待機モード状態にスライド移動すれば、再び安全モード状態に復帰されないように位置固定されるように形成されることができる。
【００６５】
このために、加圧ボタン１１０の一側には固定突起１１４が形成され、外部ケース１０１のボタンガイド溝１０１１の底面には一部区間が切開された形態で弾性変形可能な切開変形部１０１３が形成され、切開変形部１０１３は加圧ボタン１１０が安全モードに位置した状態で固定突起１１４を挿入収容することができる収容溝１０１４が形成され、加圧ボタン１１０が加圧待機モードに移動完了した状態で末端面が固定突起１１４とかみ合われて加圧ボタン１１０の復帰移動を拘束するように形成される。
【００６６】
このような構造によって加圧ボタン１１０は加圧待機モード状態にスライド移動した状態のみで使用者による加圧操作が可能であるので、使用者の間違いによる加圧操作を防止して安全な使用ができるようにする。特に、安全モード状態で加圧待機モード状態に変換されれば、再び安全モードに復帰することができないようにすることで、使用者の愼重な操作を誘導することと共に安定的な作動状態を維持させることができる。
【００６７】
加圧ボタン１１０が加圧待機モード状態に変換されて図１２に示されたように加圧操作されれば、加圧ボタン１１０の加圧ロード１１１がシューテングプレート１５０を加圧移動させる。
【００６８】
シューテングプレート１５０はインナーケース１０２に安着支持されて加圧ボタン１１０の加圧操作によってスライド移動可能に結合され、プランジャーボディー３００は第１位置でシューテングプレート１５０とかみ合われてシューテングプレート１５０の移動によってシューテングプレート１５０とかみ合い解除されてプランジャー弾性スプリング(Ｓ１)の弾性力によって第２位置に移動する。
【００６９】
プランジャーボディー３００には図１２及び図１３に示されたようにシューテングプレート１５０とかみ合われるようにかみ合いホック３１０が形成され、シューテングプレート１５０の一側にはプランジャーボディー３００のかみ合いホック３１０とかみ合い結合されることができる係止突出部１５３が形成され、係止突出部１５３はシューテングプレート１５０がスライド移動することによってかみ合いホック３１０とのかみ合い状態が解除されるように形成される。
【００７０】
インナーケース１０２にはシューテングプレート１５０のスライド移動経路をガイドするようにガイドレール１６２が突き出形成され、シューテングプレート１５０にはガイドレール１６２が挿入ガイドされるようにガイドスロット１５１が形成される。また、インナーケース１０２にはシューテングプレート１５０を加圧ボタン１１０の操作によるスライド移動方向と反対方向に弾性支持する弾性部材１６３が装着される。よって、シューテングプレート１５０は弾性部材１６３の弾性力によって加圧ボタン１１０側に弾性支持されるので、加圧ボタン１１０を加圧操作しない以上、プランジャーボディー３００のかみ合いホック３１０とのかみ合い状態が安定的に維持される。
【００７１】
このような構造によって使用者が加圧ボタン１１０を加圧操作すれば、シューテングプレート１５０がスライド移動するようになって、これによってプランジャーボディー３００とシューテングプレート１５０とのかみ合い状態が解除されてプランジャーボディー３００はプランジャー弾性スプリング(Ｓ１)の弾性力によって図１５及び図１６に示されたように第１位置から第２位置に外部吐出移動する。
【００７２】
プランジャーボディー３００には第２位置への移動範囲を制限できるようにストッパ突起３２０が形成されることができるし、ストッパ突起３２０はプランジャーボディー３００が第２位置に移動することによってインナーケース１０２の一側にかみ合われる方式で前記プランジャーボディー３００の移動を制限することができる。すなわち、プランジャーボディー３００はストッパ突起３２０によって第２位置までに移動し、その以上の範囲ではメインケース１００から外部吐出されない。この時、インナーケース１０２にはプランジャーボディー３００が第２位置に移動した状態でストッパ突起３２０とかみ合われてストッパ突起３２０の移動を拘束するようにストッパ固定部１０２１が形成されることができる。
【００７３】
また、プランジャーボディー３００の一端部には身体付着ユニット２０が挿入収容されるようにセンサー収容部３０１が形成され、身体付着ユニット２０はセンサー収容部３０１に挿入収容されてプランジャーボディー３００と共に第１位置から第２位置に直線移動する。プランジャーボディー３００及び身体付着ユニット２０が第２位置に直線移動することによって身体付着ユニット２０のセンサープローブ５２１及び針部５５０が身体に挿入される。
【００７４】
この時、センサー収容部３０１の縁にはセンサー収容部３０１に挿入された身体付着ユニット２０とかみ合い結合されて身体付着ユニット２０を結合固定させることができるセンサー固定ホック３３０が装着される。身体付着ユニット２０の両側端部には身体付着ユニット２０がセンサー収容部３０１に挿入された状態でセンサー固定ホック３３０とかみ合われるようにかみ合い結合溝５１１２が形成される。
【００７５】
センサー固定ホック３３０は回転軸３３１を中心に弾性回転可能に結合され、プランジャーボディー３００が第１位置に位置した状態では、図１５に示されたようにセンサー固定ホック３３０が身体付着ユニット２０のかみ合い結合溝５１１２とかみ合い結合されるように内側方向に加圧されるように弾性支持され、プランジャーボディー３００が第２位置に位置した状態では図１６に示されたように身体付着ユニット２０からアプリケーター１０を分離する過程でセンサー固定ホック３３０が身体付着ユニット２０のかみ合い結合溝５１１２からかみ合い解除されるように構成されることができる。センサー固定ホック３３０が身体付着ユニット２０からかみ合い解除される過程は、回転軸３３１が拗じれ弾性回転する方式でなされることができる。
【００７６】
図示されなかったが、インナーケース１０２の内側壁面にはセンサー固定ホック３３０を身体付着ユニット２０とかみ合われるように内側方向に加圧し、プランジャーボディー３００の第２位置移動状態でセンサー固定ホック３３０を加圧解除する形態の断面形状を有するホックガイド部(図示せず)が形成されることもできる。すなわち、ホックガイド部はインナーケース１０２の内側壁面に突き出面及び凹面を有する形態でなされることができるし、突き出面はセンサー固定ホック３３０を加圧して凹面はセンサー固定ホック３３０を加圧解除するように形成され、凹面はセンサー固定ホック３３０がプランジャーボディー３００と共に第２位置に移動した状態でセンサー固定ホック３３０を加圧解除するように形成される。
【００７７】
一方、本発明では身体付着ユニット２０がアプリケーター１０に挿入された状態で製作されるので、前述したようにアプリケーター１０にまた他の身体付着ユニット２０を挿入して再使用することを防止するように構成される。
【００７８】
このためにメインケース１００にはプランジャーボディー３００が第２位置に移動した以後にはプランジャーボディー３００が第１位置に復帰移動することを防止する復帰防止手段が具備される。
【００７９】
復帰防止手段は図１７乃至図１９に示されたようにプランジャーボディー３００の一側に形成されるかみ合いボディー３４０と、プランジャーボディー３００が第１位置から第２位置に下向き移動完了時プランジャーボディー３００のかみ合いボディー３４０とかみ合い結合されてプランジャーボディー３００の復帰移動を防止するようにインナーケース１０２に形成される復帰防止ホック１６１を含んで構成されることができる。
【００８０】
復帰防止ホック１６１はかみ合いボディー３４０とかみ合われる過程で弾性復元力が作用してかみ合われるように構成される。もう少し具体的に、復帰防止ホック１６１はインナーケース１０２の一側に回転軸１６１３を中心に弾性回転可能に結合される回動ボディー１６１１と、回動ボディー１６１１の内側面に下向き内側方向に傾くように突き出されるホックボディー１６１２を含む形態で構成されることができる。この時、回転軸１６１３は弾性材質の材質特性による弾性力が作用してホックボディー１６１２が内側方向に突き出される方向に回動ボディー１６１１を弾性支持するように形成される。
【００８１】
このような復帰防止ホック１６１によってプランジャーボディー３００は、第１位置から第２位置に移動完了時再び第１位置に向けて復帰移動することが防止され、これによってまた他の身体付着ユニット２０を使用者が任意に挿入して使用することを防止することができる。
【００８２】
復帰防止ホック１６１の動作状態をよく見れば、図１７に示されたようにプランジャーボディー３００が第１位置に位置した状態で、加圧ボタン１１０の操作によって第２位置に移動すれば、図１８に示されたようにプランジャーボディー３００が第２位置に移動する過程でプランジャーボディー３００のかみ合いボディー３４０によってホックボディー１６１２が加圧されて復帰防止ホック１６１が回転軸１６１３を中心に時計方向(外側方向)に弾性回転するようになる。以後、プランジャーボディー３００が図１９に示されたように第２位置に移動完了するようになれば、かみ合いボディー３４０によるホックボディー１６１２の加圧状態が解除されるので、復帰防止ホック１６１は回転軸１６１３を中心に反時計方向(内側方向)に復帰して弾性回転するようになる。このように復帰防止ホック１６１が弾性復帰回転することによって復帰防止ホック１６１の下端がプランジャーボディー３００のかみ合いボディー３４０上端とかみ合い結合され、これによってプランジャーボディー３００は復帰防止ホック１６１とかみ合いボディー３４０とのかみ合い状態によって第１位置に復帰移動が防止される。
【００８３】
一方、アプリケーター１０は身体付着ユニット２０が第１位置から第２位置に外部吐出移動完了することと共に身体付着ユニット２０の針部５５０を身体から引き出し除去するように構成され、このためにアプリケーター１０はプランジャーボディー３００が第１位置から第２位置に移動完了することと共に針部５５０を上向き移動させて身体から引き出し除去する針引き出し手段(Ｎ)を具備することができる。
【００８４】
針引き出し手段(Ｎ)は、針部５５０の針ヘッド５５１と結合されてプランジャーボディー３００にかみ合い結合されてプランジャーボディー３００と共にインナーケース１０２に沿って第１位置から第２位置に直線移動する針引き出しボディー４００と、針引き出しボディー４００が第１位置に向けて上向き移動する方向に針引き出しボディー４００に弾性力を加える針引き出し弾性スプリング(Ｓ２)を含むことができる。
【００８５】
針引き出しボディー４００はプランジャーボディー３００にかみ合い結合されるが、このために針引き出しボディー４００には弾性変形可能な別途の弾性ホック４１０が形成され、弾性ホック４１０はプランジャーボディー３００のホックかみ合い部３５０にかみ合い結合される方向に弾性偏向される。よって、プランジャーボディー３００が加圧ボタン１１０の操作によって第１位置から第２位置に直線移動すれば、針引き出しボディー４００もまたプランジャーボディー３００と共に第２位置に直線移動する。
【００８６】
この時、インナーケース１０２には針引き出しボディー４００が第２位置に移動することによって弾性ホック４１０がプランジャーボディー３００のホックかみ合い部３５０からかみ合い解除されるように弾性ホック４１０を内側方向に加圧する針引き出し加圧部１３０が形成される。
【００８７】
このような構造によって加圧ボタン１１０が加圧操作されれば、図１９に示されたように針引き出しボディー４００はプランジャーボディー３００と共に第１位置から第２位置に直線移動し、これと共に針引き出しボディー４００の弾性ホック４１０がインナーケース１０２の針引き出し加圧部１３０によって加圧されてホックかみ合い部３５０とのかみ合い状態が解除されるので、図２０に示されたように針引き出しボディー４００は針引き出し弾性スプリング(Ｓ２)の弾性力によって第１位置に向けて上向き復帰移動するようになる。
【００８８】
この時、針引き出しボディー４００は一端の針ヘッド結合部４２０を通じて針部５５０の針ヘッド５５１と結合されているので、針引き出しボディー４００が上向き復帰移動する過程で針部５５０が共に移動して身体から引き出し除去される。針ヘッド結合部４２０は針ヘッド５５１に形成された結合溝５５２にかみ合い結合される形態で針引き出しボディー４００の下端部に形成される。
【００８９】
一方、プランジャーボディー３００がプランジャー弾性スプリング(Ｓ１)の弾性力によって第２位置に移動することによって身体付着ユニット２０のセンサープローブ５２１及び針部５５０が身体に挿入されるが、針部５５０の身体挿入過程で挿入抵抗が発生して反力によって針部５５０が身体挿入方向の反対方向に微細に後退することもある。この場合、センサープローブ５２１が正常な深さで身体に挿入されないこともあるので、針部５５０の後退が防止されることが望ましい。このために針引き出しボディー４００には針部５５０が針引き出しボディー４００に対して上部側に相対移動しないように針部５５０の上端を下向き支持する針支持ブロックが結合されることができる。
【００９０】
次に、以上で説明したセンサーアプリケーター組立体の使用状態を図２１乃至図２５を中心に詳しく見る。
【００９１】
図２１乃至図２５は、本発明の一実施例による連続血糖測定装置の使用状態を動作手順によって段階的に示した図面である。
【００９２】
先ず、図２１に示されたようにアプリケーター１０の保護キャップ２００を分離する。保護キャップ２００を分離する過程で身体付着ユニット２０の接着テープ５６０の異形紙５６１が保護キャップ２００と共に分離して接着テープ５６０から除去される。以後、身体付着ユニット２０を付着する身体位置にセンサーアプリケーター組立体を位置させ、この状態で加圧ボタン１１０を安全モードで加圧待機モード状態に変換した後、加圧ボタン１１０を加圧操作する。
【００９３】
加圧ボタン１１０を加圧操作すれば、シューテングプレート１５０が移動してプランジャーボディー３００とかみ合い状態が解除されるので、図２２及び図２３に示されたようにプランジャーボディー３００がプランジャー弾性スプリング(Ｓ１)によって外部吐出される方向に下向き移動し、この過程で身体付着ユニット２０の針部５５０とセンサープローブ５２１が身体(Ｅ)に挿入される。勿論、この時、身体付着ユニット２０は底面の接着テープ５６０によって身体(Ｅ)表面に接着される。このようにプランジャーボディー３００が外部吐出される方向に移動すれば、図２３に示されたようにプランジャーボディー３００はインナーケース１０２の復帰防止ホック１６１によってかみ合われて再び上昇移動することができない。よって、一度使ったアプリケーター１０は再び再使用が不可能である。
【００９４】
プランジャーボディー３００が下向き移動すれば、図２３に示されたようにセンサー収容部３０１のセンサー固定ホック３３０は身体付着ユニット２０とのかみ合い結合状態が解除されることができる。また、針引き出しボディー４００の弾性ホック４１０はインナーケース１０２の針引き出し加圧部１３０によって内側方向に加圧されてプランジャーボディー３００とのかみ合い状態が解除される。
【００９５】
したがって、プランジャーボディー３００が下向き移動すれば、これと同時に図２４に示されたように針引き出しボディー４００が針引き出し弾性スプリング(Ｓ２)によって上向き復帰移動するようになる。この時、針引き出しボディー４００と共に針部５５０が上向き移動するようになるので、針部５５０は身体(Ｅ)から引き出し除去される。
【００９６】
この状態では、前述したようにセンサー固定ホック３３０と身体付着ユニット２０とのかみ合うことが解除可能な状態であるので、図２５に示されたようにアプリケーター１０を上向き分離除去することができて、このようにアプリケーター１０を分離除去すれば、身体(Ｅ)には身体付着ユニット２０だけ付着した状態になる。
【００９７】
以後、身体付着ユニット２０の加圧作動モジュール５７０などを操作して身体付着ユニット２０のセンサー部材５２０及び無線通信チップ５４０を作動開始することができるし、これによって身体付着ユニット２０による血糖測定結果が別途の外部端末機に伝送される。本発明では身体付着ユニット２０にセンサー部材５２０及び無線通信チップ５４０がすべて具備されているので、別途のトランスミッタを連結結合するなどの付加作業が不必要である。
【００９８】
次に、本発明の一実施例による身体付着ユニット２０に対してもう少し詳しく見る。
【００９９】
図２６は、本発明の一実施例によって身体に付着した身体付着ユニットの外形を概略的に示した斜視図であり、図２７は本発明の一実施例による身体付着ユニットの構成を概略的に示した分解斜視図であり、図２８は図２６の"Ｃ-Ｃ"線に沿って取った断面図であり、図２９は図２６の"Ｄ-Ｄ"線に沿って取った断面図であり、図３０は本発明の一実施例による加圧作動モジュールの作動状態を概略的に示した図面である。
【０１００】
本発明の一実施例による身体付着ユニット２０は、底面が肌に付着するように接着テープ５６０を付着したハウジング５１０と、一端部がハウジング５１０の底面から外部突き出されるようにハウジング５１０内部に配置されてハウジング５１０が肌に付着する時一端部が身体に挿入されるセンサー部材５２０と、ハウジング５１０内部に配置されるＰＣＢ基板５３０を含んで構成される。
【０１０１】
センサー部材５２０は一端部が身体に挿入されるように形成されて他端部はＰＣＢ基板５３０に接触できるように形成されるが、他端部にはＰＣＢ基板５３０の電気接点に接触できるようにセンサーボディー部５２２が形成され、一端部にはセンサーボディー部５２２の一側から折曲される形態で延長形成されてハウジング５１０から外部突き出されて身体に挿入されるセンサープローブ部５２１が形成される。センサーボディー部５２２は相対的に広い面積を有する形態で形成され、センサープローブ部５２１は相対的に狭くて長い形態で形成される。
【０１０２】
ハウジング５１０は内部収容空間が形成されるように上部ハウジング５１２と下部ハウジング５１１で分離形成されることができるし、ハウジング５１０内部にはセンサーボディー部５２２をＰＣＢ基板５３０の電気接点５３１から一定間隔離隔されるように支持するセンサー支持部５１２１が形成され、また、センサープローブ部５２１の一部区間を支持しながらガイドすることができるセンサーガイド部(図示せず)が形成される。また、ハウジング５１０内部にはＰＣＢ基板５３０を一定位置に固定支持するための基板支持部５１１３が形成されることができる。
【０１０３】
ＰＣＢ基板５３０にはセンサー部材５２０と電気的に連結されるように電気接点５３１が形成され、センサー部材５２０を通じて測定された血糖測定結果を外部端末機に送るように無線通信チップ５４０が実装される。本発明の一実施例ではこのように無線通信チップ５４０が身体付着ユニット２０の内部に具備されることによって別途のトランスミッタ連結作業なしも外部端末機と容易に通信することができる。
【０１０４】
また、ハウジング５１０内部にはＰＣＢ基板５３０に電源を供給するようにバッテリー５３５が装着されるが、この時、バッテリー５３５はＰＣＢ基板５３０の一面に実装される形態で配置されるものではなく、ＰＣＢ基板５３０とは独立的な領域に配置される。すなわち、ＰＣＢ基板５３０とバッテリー５３５はハウジング５１０の底面に映った面積がお互いに重なり領域なしに独立的に配置される。このようにＰＣＢ基板５３０とバッテリー５３５がお互いに独立的な領域に配置されることで、身体付着ユニット２０の厚さを減少させることができるし、より小型化することができる。この時、ＰＣＢ基板５３０にはバッテリー５３５と電気的に接触連結されるように別途の接触端子５３２がバッテリー５３５側に延長形成されることができる。
【０１０５】
本発明の一実施例による身体付着ユニット２０は、センサー部材５２０の他端部、すなわち、センサーボディー部５２２が使用者操作によってＰＣＢ基板５３０の電気接点５３１に接触するように形成され、このような電気的接触によって身体付着ユニット２０が作動開始されるように構成される。すなわち、使用者の操作によるセンサー部材５２０とＰＣＢ基板５３０の電気的連結によって電源供給がなされることと共にセンサー部材５２０及び無線通信チップ５４０などが作動開始されるように構成されることができる。
【０１０６】
センサー部材５２０の他端部とＰＣＢ基板５３０との電気接点５３１を使用者の操作によって接触させるためにハウジング５１０には使用者の操作によって作動する別途の加圧作動モジュール５７０が具備されることができる。
【０１０７】
加圧作動モジュール５７０は、ハウジング５１０に移動可能に結合されて使用者の加圧力によって加圧方向に移動する移動加圧ボディー５７１を含むことができるし、移動加圧ボディー５７１の移動によってセンサー部材５２０の他端部の少なくとも一部領域が移動加圧ボディー５７１によって加圧変形されてＰＣＢ基板５３０の電気接点５３１に接触するように構成されることができる。
【０１０８】
また、加圧作動モジュール５７０は、移動加圧ボディー５７１の外部空間を囲む形態で使用者の加圧操作が可能になるようにハウジング５１０に外部露出するように結合される軟性材質のボタンカバー５７２をさらに含むことができるし、ボタンカバー５７２とハウジング５１０の結合部位は密封処理されるように構成されることができる。
【０１０９】
この時、ボタンカバー５７２とハウジング５１０結合部位の密封処理方式は、両面テープ５８０を利用した方式で構成されることができる。例えば、センサー部材５２０の他端部、すなわち、センサーボディー部５２２の一面には縁まわりに沿って両面テープ５８０が接着され、ボタンカバー５７２の内側面は縁まわりに沿って両面テープ５８０の打面に接着され、このような両面テープ５８０によってボタンカバー５７２の縁まわりが密封処理されるようにできる。この場合、センサーボディー部５２２の打面にも縁まわりに沿って両面テープ５８０が接着されることができるし、これを通じてセンサーボディー部５２２は縁まわりが両面テープ５８０を利用してセンサー支持部５１２１に接着固定されることができる。
【０１１０】
このようにセンサーボディー部５２２の縁まわりが両面テープ５８０を通じてセンサー支持部５１２１に接着固定された状態で、図３０に示されたようにセンサーボディー部５２２の中心領域が移動加圧ボディー５７１によって加圧変形されてＰＣＢ基板５３０の電気接点５３１に接触されることができる。移動加圧ボディー５７１は加圧方向に移動するが、ボタンカバー５７２は軟性材質で両面テープ５８０によって縁部分がハウジング５１０に接着されるので、中心領域だけ加圧方向に変形されるだけ縁部分は接着固定されて密封状態が維持される。
【０１１１】
一方、センサーボディー部５２２が使用者操作によってＰＣＢ基板５３０の電気接点５３１に接触した以後には安定的な血糖測定のために接触状態が安定的に維持されることが望ましく、このために移動加圧ボディー５７１は使用者の加圧力によって加圧方向に移動した状態で位置固定されるように形成されることができる。
【０１１２】
このような移動加圧ボディー５７１の位置固定のために、図３１に示されたように移動加圧ボディー５７１には移動加圧ボディー５７１の移動方向に沿って突き出される突き出ガイド部５７１１が形成され、突き出ガイド部５７１１の外周面には係止ホック５７１２が形成されることができる。また、ハウジング５１０には移動加圧ボディー５７１が加圧方向に移動した状態で突き出ガイド部５７１１の係止ホック５７１２がかみ合い結合されることができるかみ合い突起５１２４が形成されることができる。移動加圧ボディー５７１は図３０に示されたように係止ホック５７１２がかみ合い突起５１２４にかみ合い結合されることによって位置固定されるように構成されることができる。
【０１１３】
この時、かみ合い突起５１２４はハウジング５１０のセンサー支持部５１２１に形成されることができるが、ハウジング５１０のセンサー支持部５１２１には図３１に示されたように移動加圧ボディー５７１の突き出ガイド部５７１１を囲む形態のガイド固定部５１２３が円周方向に沿って離隔されるように少なくとも２個形成され、それぞれのガイド固定部５１２３にかみ合い突起５１２４が形成されることができる。また、それぞれのガイド固定部５１２３は弾性変形する弾性支持部５１２５によって弾性支持される形態で配置されることができる。
【０１１４】
したがって、移動加圧ボディー５７１が加圧方向に移動する過程でガイド固定部５１２３が弾性変形して移動加圧ボディー５７１の移動を円滑にさせて、移動加圧ボディー５７１の移動が完了すれば、ガイド固定部５１２３は弾性復帰するようになって係止ホック５７１２がかみ合い突起５１２４にかみ合い結合されて、ガイド固定部５１２３が弾性支持部５１２５によって弾性支持されるので、係止ホック５７１２とかみ合い突起５１２４とのかみ合い結合状態が安定的に維持される。
【０１１５】
一方、センサー部材５２０は前述したようにセンサーボディー部５２２とセンサープローブ部５２１で構成されるが、センサーボディー部５２２には移動加圧ボディー５７１の加圧移動によって変形してＰＣＢ基板５３０の電気接点５３１に接触する加圧変形部５２３が形成される。
【０１１６】
加圧変形部５２３は図３２に示されたようにセンサーボディー部５２２の中心領域に形成された第１切開線５２３２に沿って切開された形態の第１切開領域５２３１を含んで、第１切開領域５２３１が移動加圧ボディー５７１によって加圧変形されるように形成されることができる。
【０１１７】
また、加圧変形部５２３はセンサーボディー部５２２の中心領域に第１切開線５２３２の外郭領域に形成された第２切開線５２３４に沿って切開された形態の第２切開領域５２３３をさらに含んで、第１切開領域５２３１及び第２切開領域５２３３が移動加圧ボディー５７１によって加圧変形されるように形成されることができる。
【０１１８】
この時、第１切開線５２３２は閉ループのうちで一部区間が開放された形態で形成され、第２切開線５２３４は第１切開線５２３２の開放された区間を外部で囲む閉ループ形態で第１切開線５２３２の開放された区間と対向される位置に開放された区間を有するように形成される。
【０１１９】
このような構造によって移動加圧ボディー５７１を加圧操作するようになれば、図３３の(a)及び(b)に示されたように加圧変形部５２３の第１切開領域５２３１が下向き弾性変形され、第１切開領域５２３１の外郭領域に形成された第２切開領域５２３３が連続して順次に下向き弾性変形され、これによってＰＣＢ基板５３０の電気接点５３１と直接接触する第１切開領域５２３１は相対的に水平状態でＰＣＢ基板５３０の電気接点５３１と接触するようになるので、センサーボディー部５２２の電気接点５３１に対する接触状態をより安定的に維持することができる。
【０１２０】
一方、ＰＣＢ基板５３０にセンサーボディー部５２２と電気接触する電気接点５３１はセンサーボディー部５２２に向けて突き出される形態で複数個形成されるが、複数個の電気接点５３１のうちで少なくとも何れか一つは、残りより突き出高さがさらに高く形成されることができる。
【０１２１】
例えば、図３４に示されたようにＰＣＢ基板５３０に２個の電気接点５３１が形成された場合、一つの電気接点５３１の突き出高さが残り電気接点５３１の突き出高さより高く形成され、これによってセンサーボディー部５２２との離隔間隔がd１、d２でお互いに異なるように形成される。
【０１２２】
このような配置構造を通じて製作及び組み立て公差などの理由で使用者の加圧操作なしもセンサーボディー部５２２が電気接点５３１に接触することを防止することができる。
【０１２３】
もう少し詳しく見れば、本発明の一実施例によるハウジング５１０内部でセンサー部材５２０のセンサーボディー部５２２とＰＣＢ基板５３０の電気接点５３１がお互いに離隔されるように位置して、使用者の加圧操作によって相互接触するように構成される。しかし、ハウジング５１０は非常に薄い形態で形成されるので、その内部でセンサーボディー部５２２と電気接点５３１との離隔状態を安定的に維持することがとても難しい。特に、製作及び組み立て過程で発生する公差などによってセンサーボディー部５２２と電気接点５３１が使用者による加圧操作以前に相互接触状態で製作流通することができる。
【０１２４】
前述したように複数個の電気接点５３１のうちで少なくとも何れか一つの突き出高さを残り電気接点５３１より高くすれば、製作及び組み立て公差によってセンサーボディー部５２２と電気接点５３１がお互いに接触しても、最も高く突き出された電気接点５３１だけセンサーボディー部５２２と接触するようになって、残り電気接点５３１はセンサーボディー部５２２と離隔された状態で維持される。これは、最も高く突き出された電気接点５３１によってセンサーボディー部５２２を上向き支持する機能が遂行されるためである。この時、複数個の電気接点５３１は弾性変形可能な形態でＰＣＢ基板５３０から弾性突き出されるように形成されることができるし、このような弾性力によってセンサーボディー部５２２に対する支持機能及び接触機能を円滑に遂行することができる。
【０１２５】
このようにセンサーボディー部５２２と電気接点５３１がたとえ接触しても、何れか一つの電気接点５３１だけ接触するようになれば、身体付着ユニット２０の作動が開始されない。すなわち、センサー部材５２０及び無線通信チップ５４０などの作動が開始されないし、バッテリー５３５を通じた電源供給も開始されない。
【０１２６】
このような作動開始防止機能は複数個の電気接点５３１がすべてセンサーボディー部５２２に接触した場合のみに作動開始されるようにＰＣＢ基板５３０のパターン回路を構成するなどの単純な方式を通じて達成されることができる。
【０１２７】
このように複数個の電気接点５３１がお互いに突き出高さが異なるように形成された場合、加圧作動モジュール５７０は移動加圧ボディー５７１の移動距離が複数個の電気接点５３１のうち突き出高さが最も低い電気接点５３１とセンサーボディー部５２２との間の離隔距離以上で形成されなければならないであろう。
【０１２８】
以上では使用者操作によるセンサーボディー部５２２と電気接点５３１との接触構造に対して加圧方式で作動する加圧作動モジュール５７０の構成に対して説明したが、加圧方式以外にも多様な方式で構成されることができるし、以下ではいくつかの例示的な構成らを詳しく見る。
【０１２９】
図３５乃至図３７は、本発明の一実施例による接点連結モジュールの多様な構成を概念的に示した図面である。
【０１３０】
図３５乃至図３７にはセンサーボディー部５２２とＰＣＢ基板５３０の電気接点５３１を接触させることができるように使用者の操作によって作動する接点連結モジュール５９０が示されるが、このような接点連結モジュール５９０はセンサーボディー部５２２とＰＣＢ基板５３０の電気接点５３１との間で相互接触を遮断するように位置した状態で使用者の操作によって移動して相互接触を遮断解除する方式で作動するように構成されることができる。
【０１３１】
もう少し具体的に、ＰＣＢ基板５３０の電気接点５３１はセンサーボディー部５２２に接触する方向に弾性突き出されるように形成され、接点連結モジュール５９０がセンサーボディー部５２２とＰＣＢ基板５３０との電気接点５３１の相互接触を遮断解除するように作動することによって、ＰＣＢ基板５３０の電気接点５３１が弾性力によって弾性移動してセンサー部材５２０の他端部に接触するように構成されることができる。
【０１３２】
この時、接点連結モジュール５９０は、図３５に示されたようにハウジング内部でセンサーボディー部５２２とＰＣＢ基板５３０の電気接点５３１との間に配置されて使用者の操作によって移動可能に装着される移動プレート５９１を含んで構成されることができる。
【０１３３】
図３５の(a)に示されたように、移動プレート５９１がハウジング５１０内部に挿入された組み立て状態ではセンサーボディー部５２２と電気接点５３１との間に位置してセンサーボディー部５２２と電気接点５３１との相互接触を遮断し、図３５の(b)に示されたように使用者の操作によって移動プレート５９１をハウジング５１０から引き出し除去する方向に移動させれば、電気接点５３１が弾性力によって上向き移動してセンサーボディー部５２２に接触するようになる。
【０１３４】
一方、図３６に示されたように移動プレート５９１は、使用者の操作によって第１位置から第２位置に移動可能に装着され、移動プレート５９１には第１位置で電気接点５３１をＰＣＢ基板５３０側に加圧して第２位置で電気接点５３１の加圧状態を解除するように一側に貫通ホール５９３が形成されることができる。
【０１３５】
したがって、図３６の(a)に示されたように移動プレート５９１がハウジング５１０内部で第１位置に位置した状態では移動プレート５９１によってセンサーボディー部５２２と電気接点５３１の相互接触が遮られて、図３６の(b)に示されたように移動プレート５９１がハウジング５１０内部で第２位置に移動すれば、移動プレート５９１の貫通ホール５９３が電気接点５３１とセンサーボディー部５２２との間に位置するので、電気接点５３１が弾性移動して貫通ホール５９３を貫通してセンサーボディー部５２２と接触するようになる。
【０１３６】
この時、移動プレート５９１には移動プレート５９１の移動範囲を第１位置から第２位置に制限するようにストッパ部５９２が形成されることができる。
【０１３７】
一方、移動プレート５９１は第２位置に移動した状態で位置固定されて再び第１位置に復帰移動することができないように形成されることができる。
【０１３８】
例えば、移動プレート５９１の一端部には係止ホック５９４が形成され、ハウジング５１０内部には移動プレート５９１が第２位置に移動した状態で係止ホック５９４とかみ合い結合されることができるかみ合い突起５９５が形成され、移動プレート５９１は係止ホック５９４がかみ合い突起５９５にかみ合い結合されることによって第２位置で位置固定されることができる。
【０１３９】
また、図３７に示されたように移動プレート５９１に伝導性材質の接点連結部材５９６が別に装着される方式で構成されることもできる。これは移動プレート５９１の貫通ホール５９３が形成された部位に接点連結部材５９６が装着される形態で構成されることができるし、移動プレート５９１の移動時電気接点５３１とセンサーボディー部５２２が接点連結部材５９６によって電気的に連結接触される方式で構成されることができる。
【０１４０】
以上の説明は、本発明の技術思想を例示的に説明したことに過ぎないものであり、本発明が属する技術分野で通常の知識を有した者なら本発明の本質的な特性から脱しない範囲で多様な修正及び変形が可能であろう。よって、本発明に開示された実施例らは本発明の技術思想を限定するためではなく説明するためのものであり、このような実施例によって本発明の技術思想の範囲が限定されるものではない。本発明の保護範囲は下の請求範囲によって解釈されなければならないし、それと同等な範囲内にあるすべての技術思想は、本発明の権利範囲に含まれるものとして解釈されなければならないであろう。
【図１】
2021531118.tif 000003
【図２】
2021531118.tif 000004
【図３】
2021531118.tif 000005
【図４】
2021531118.tif 000006
【図５】
2021531118.tif 000007
【図６】
2021531118.tif 000008
【図７】
2021531118.tif 000009
【図８】
2021531118.tif 000010
【図９】
2021531118.tif 000011
【図１０】
2021531118.tif 000012
【図１１】
2021531118.tif 000013
【図１２】
2021531118.tif 000014
【図１３】
2021531118.tif 000015
【図１４】
2021531118.tif 000016
【図１５】
2021531118.tif 000017
【図１６】
2021531118.tif 000018
【図１７】
2021531118.tif 000019
【図１８】
2021531118.tif 000020
【図１９】
2021531118.tif 000021
【図２０】
2021531118.tif 000022
【図２１】
2021531118.tif 000023
【図２２】
2021531118.tif 000024
【図２３】
2021531118.tif 000025
【図２４】
2021531118.tif 000026
【図２５】
2021531118.tif 000027
【図２６】
2021531118.tif 000028
【図２７】
2021531118.tif 000029
【図２８】
2021531118.tif 000030
【図２９】
2021531118.tif 000031
【図３０】
2021531118.tif 000032
【図３１】
2021531118.tif 000033
【図３２】
2021531118.tif 000034
【図３３】
2021531118.tif 000035
【図３４】
2021531118.tif 000036
【図３５】
2021531118.tif 000037
【図３６】
2021531118.tif 000038
【図３７】
2021531118.tif 000039
2021531118.tif 000040
2021531118.tif 000041
2021531118.tif 000042
2021531118.tif 000043
2021531118.tif 000044
2021531118.tif 000045
2021531118.tif 000046
2021531118.tif 000047
2021531118.tif 000048
2021531118.tif 000049
2021531118.tif 000050
2021531118.tif 000051
2021531118.tif 000052
2021531118.tif 000053
2021531118.tif 000054
2021531118.tif 000055
2021531118.tif 000056
2021531118.tif 000057
2021531118.tif 000058
2021531118.tif 000059
2021531118.tif 000060
2021531118.tif 000061
2021531118.tif 000062
2021531118.tif 000063
2021531118.tif 000064
2021531118.tif 000065
2021531118.tif 000066
2021531118.tif 000067
2021531118.tif 000068
2021531118.tif 000069
2021531118.tif 000070
2021531118.tif 000071
2021531118.tif 000072
2021531118.tif 000073
2021531118.tif 000074
2021531118.tif 000075
2021531118.tif 000076
【国際調査報告】
2021531118.tif 000077
2021531118.tif 000078
2021531118.tif 000079
2021531118.tif 000080
2021531118.tif 000081
2021531118.tif 000082
2021531118.tif 000083
2021531118.tif 000084
2021531118.tif 000085
2021531118.tif 000086
2021531118.tif 000087
2021531118.tif 000088